(57)【特許請求の範囲】
【請求項１】
連続鋳造用タンデイッシュ(1)のタンデイッシュノズル部(1A)を構成すると共にストッパー(8)が嵌合するためのノズルレンガ(5)を有し、前記ノズルレンガ(5)の外周に円筒状の升レンガ(4)を敷設し、前記升レンガ(4)の上部にリング状耐火物(7)を設け、前記リング状耐火物(7)の外周を不定形耐火物(6)で構築し、前記不定形耐火物(6)及び前記升レンガ(4)の外周には本体耐火物(3)が設けられたタンデイッシュノズル部の構造において、前記リング状耐火物(7)の稼動面(7a)は前記ノズルレンガ(5)の頂部接触面(5a)と同一高さで施工されて前記本体耐火物(3)へ向けて下向きにテーパ状となるように５〜１０ｍｍ前記本体耐火物(3)面より高めにしたリング状耐火物(7)で構成され、前記リング状耐火物(7)と本体耐火物(3)の間の端部は前記不定形耐火物(6)で埋められ、前記リング状耐火物(7)の稼動面端部(7b)と本体耐火物(3)とは水平面となっていることを特徴とするタンデイッシュノズル部の構造。
【発明の詳細な説明】
【０００１】
【発明の属する技術分野】
本発明は、連続鋳造用のタンデイッシュのノズル部の構造に関し、特に、スラグや異物がノズルレンガとストッパーとの間に入り込まないようにするための新規な改良に関する。
【０００２】
【従来の技術】
従来、用いられていた連続鋳造用タンデイッシュのノズル部は図示していないが、一体成形した円筒状の升レンガにノズルレンガを嵌合する構造で、このノズルレンガは、一回注入作業を終える度に、新しいものと交換している。このノズル交換作業時、ノズルを升レンガから外すときに、升レンガの上部隅、即ちノズルレンガ上部外側と接する部分を欠損させることがあった。
この部位は、ノズル孔近傍であるため、溶鋼の流速が早く、升レンガの欠損部は、溶鋼流れによって益々削られ、拡大して早期に取替えが必要となっていた。
このような事情に鑑み、本出願人は実公平５−４９３３号公報で示されるように新たなノズル部の構造を提案した。
即ち、図３において、タンデイッシュ１のタンデイッシュノズル部１Ａを構築する場合、本体耐火物３の厚さからリング状耐火物７の厚さを差し引いた厚さの升レンガ４を敷設しておき、その後、ノズルレンガ５を升レンガ４に嵌め込む。次にノズルレンガ５の上部外側にリング状耐火物７を嵌め込み、このリング状耐火物７と本体耐火物３との隙間に不定形耐火物６を充填する。また、ノズルレンガ５の頂部接触面５ａとリング状耐火物７の稼動面７ａとは同一高さで、かつ本体耐火物３に対しても同一高さに施工されている。
【０００３】
【発明が解決しようとする課題】
従来のタンデイッシュノズル部の構造は、以上のように構成されていたため、次のような課題が存在していた。
すなわち、タンデイッシュは一回の注入を終了すると、タンデイッシュを冷却してノズル部を交換し、交換を終えると再び使用するためにガス或いは重油を燃焼させてタンデイッシュを１２５０℃程度に予熱して溶鋼を受けている。
このタンデイッシュを予熱する時には熱効率を良くするためにタンデイッシュカバーと共に予熱されるが、この予熱時にタンデイッシュカバーの内側天井、側壁に付着していたスラグや地金が、熱風や振動によって剥離して落下する。
また、予熱時には、タンデイッシュ内の溶鋼流量を制御するストッパーは装着した状態で予熱乾燥されるが、ノズルレンガの頂部接触面とリング状耐火物の稼動面とは同一高さで、しかも本体レンガとも同一高さに施工して有るため、前述したスラグや地金が熱風の風向きによってタンデイッシュノズル部へ容易に集合し、この集合したスラグや地金がノズルレンガのノズルを塞ぐためのストッパーとノズルレンガ頂部で軟化溶融する。これに伴い、ストッパーとノズルレンガとが強固に溶着し、溶鋼を受ける際に、ストッパーを完全に閉塞操作を行うと鋳造開始時にストッパーが作動しない状態や、これとは逆に地金やスラグの噛み込みにより完全に閉塞しない状態で溶鋼を受ける事態が生じていた。
【０００４】
本発明は、以上のような課題を解決するためになされたもので、特に、ノズルレンガの頂部接触部とリング状耐火物の稼動面とを従来のように同一高さで、しかも本体レンガと平行で同一高さの構成とせずに、リング状耐火物の稼動面をノズルレンガの頂部接触面から下向きに傾斜させることにより、スラグや地金が熱風の風向きによってノズル部へ容易に集合しないタンデイッシュノズル部の構造を提供することを目的とする。
【０００５】
【課題を解決するための手段】
本発明によるタンデイッシュノズル部の構造は、連続鋳造用タンデイッシュのタンデイッシュノズル部を構成すると共にストッパーが嵌合するためのノズルレンガを有し、前記ノズルレンガの外周に円筒状の升レンガを敷設し、前記升レンガの上部にリング状耐火物を設け、前記リング状耐火物の外周を不定形耐火物で構築し、前記不定形耐火物及び前記升レンガの外周には本体耐火物が設けられたタンデイッシュノズル部の構造において、前記リング状耐火物の稼動面は前記ノズルレンガの頂部接触面と同一高さで施工されて前記本体耐火物へ向けて下向きにテーパ状となるように５〜１０ｍｍ前記本体耐火物面より高めにしたリング状耐火物で構成され、前記リング状耐火物と本体耐火物の間の端部は前記不定形耐火物で埋められ、前記リング状耐火物の稼動面端部と本体耐火物とは水平面となっている構成である。
【０００６】
【発明の実施の形態】
以下、図面と共に本発明によるタンデイッシュノズル部の構造の好適な実施の形態について説明する。なお、従来例と同一又は同等部分には同一符号を用いて説明する。
タンデイッシュ１のタンデイッシュノズル部１Ａを構築する場合、本体耐火物３の厚さからリング状耐火物７の厚さを差引いた厚さの升レンガ４を敷設しておき、その後、ストッパー８と嵌合するためのノズルレンガ５を升レンガ４に嵌め込む。次にノズルレンガ５の上部外側に稼動面７ａをテーパ状に傾斜させたリング状耐火物７を嵌め込み、このリング状耐火物７と本体耐火物３との隙間に不定形耐火物６が充填されている。従って、図１のように、前記不定形耐火物６及び前記升レンガ４の外周には本体耐火物３が設けられている。前記稼動面７ａは、ノズルレンガ５の頂部接触面５ａから下向きに傾斜され、この稼動面７ａ上に落下したスラグ等の異物はノズルレンガ５側に行くことなく外側へ排除される。
【０００７】
前記リング状耐火物７の稼動面７ａはノズルレンガ５の頂部接触面５ａと同一高さで施工されて本体耐火物３へ向けて下向きにテーパ状となるように５〜１０ｍｍ本体耐火物３面より高めにしたリング状耐火物７で構成され、リング状耐火物７と本体耐火物３の間の端部は不定形耐火物６で埋められ、リング状耐火物７の稼動面端部７ｂと本体耐火物３とは水平面となっている。
【０００８】
【実施例】
次に、本出願人が実際に行った例について述べる。まず、タンデイッシュ１のノズル孔にノズルレンガ５を装着し、更に外径が２５０ｍｍで最大厚みが５２ｍｍで溶鋼を受ける面、即ち稼動面７ａに傾斜をつけ材質が８６アルミナー７シリカでできたリング状耐火物７を施設した。勾配を１０／８３を付けて、リング状耐火物７の端部は不定形耐火物６で隙間を埋め、本体耐火物３とリング状耐火物７は高さが同一となるように仕上げられている。なお、この実施例で用いたリング状耐火物７は、図２で示される通りであり、その組成は、次の表１の第１表に示される通りである。
【０００９】
【表１】
0004252661.tif 000002
【００１０】
【発明の効果】
本発明によるタンデイッシュノズル部の構造は、以上のように構成されているため、次のような効果を得ることができる。
すなわち、ノズル頂部に本体耐火物より５〜１０ｍｍ高めにしたテーパーを設けたリング状耐火物がはめ込んであるため、予熱時に蓋等から落下したスラグや異物がノズルとストッパーとの嵌合部に容易に集まらないようにすることができ、ストッパーとノズルの異物溶着や遮蔽不良を防止することができる。
【図面の簡単な説明】
【図１】  本発明によるタンデイッシュノズル部の構造を示す断面図である。
【図２】  図１の要部を示す断面図である。
【図３】  従来のタンデイッシュノズル部の構造を示す断面図である。
【符号の説明】
１    連続鋳造用タンデイッシュ
１Ａ    タンデイッシュノズル部
２    鉄皮
３    本体耐火物
４    升レンガ
５    ノズルレンガ
５ａ    頂部接触面
６    不定形耐火物
７    リング状耐火物
７ａ    稼動面
８    ストッパー
【図１】
0004252661.tif 000003
【図２】
0004252661.tif 000004
【図３】
0004252661.tif 000005